(57)【特許請求の範囲】
【請求項１】
内部に固定電磁石を備え、この固定電磁石の一方に、電磁石に対して進退自在の弁体を設け、この弁体に連結された可動鉄片を固定電磁石で吸着して弁体を開弁状態に保持する電磁安全弁であって、固定電磁石を挟んで弁体とは反対側に延びる外形が棒状の外部端子を設け、この外部端子に着脱自在に接続されるコネクタを介して固定電磁石に電流を流して固定電磁石を励磁するものにおいて、外部端子の基端部側を保持すると共に、外部端子の先端を、外部端子に曲げ方向の応力が作用しても外部端子が変形しないように保持する保持ケースを設けると共に、この保持ケースに、上記基端部側の保持された部分と先端との間に外部端子の長手方向に対して直角方向にコネクタを着脱する着脱部を設け、コネクタの装着時の応力によって外部端子が変形しないように、着脱部を挟む両側で外部端子を保持ケースに保持させたことを特徴とする電磁安全弁。
【請求項２】
コネクタ内には弾性変形して外部端子を両側から挟み外部端子に通電する通電用金属片が設けられており、コネクタが完全に上記着脱部に連結される前に係合を開始し、着脱部への係合が完了し完全にコネクタが着脱部に連結された状態でコネクタの連結解除を禁止するロック機構を設けると共に、通電用金属片が外部端子に接触する前にロック機構の係合が開始されるようにしたことを特徴とする請求項１に記載の電磁安全弁。
【発明の詳細な説明】
【技術分野】
【０００１】
本発明は、内部に固定電磁石を備え、進退自在の弁体に連結された可動鉄片をこの固定電磁石で吸着し、弁体を開弁状態に保持する電磁安全弁に関する。
【背景技術】
【０００２】
従来のこの種の電磁安全弁は、外部から供給される電流によって固定電磁石が励磁される。この電流を流すために外形が棒状になった外部端子が突出している。弁体はガス通路内に挿入されるので、外部端子は固定電磁石を挟んで弁体とは反対側に突出されている。
【０００３】
そして、この外部端子に着脱自在のコネクタを取り付けて電流を固定電磁石に流すように構成されている。このコネクタは外部端子の先端側から装着される（例えば、特許文献１参照）。
【特許文献１】実開平３−２３２７０号公報（第１図）
【発明の開示】
【発明が解決しようとする課題】
【０００４】
上記外部端子は外方に突出しており、その先端側からコネクタが装着されるので、固定電極の先端側に延長された部分に、コネクタを装着するためのスペースが必要となる。上記従来のものでは、コネクタからリード線が延出しており、コネクタを外部端子に装着する際に、外部端子の延長線に沿ってコネクタとリード線とが並んだ状態になるので、外部端子の延長方向にさらに広いスペースが必要となる。
【０００５】
そこで本発明は、上記の問題点に鑑み、上述の不具合の生じない電磁安全弁を提供することを課題とする。
【課題を解決するための手段】
【０００６】
上記課題を解決するために本発明による電磁安全弁は、内部に固定電磁石を備え、この固定電磁石の一方に、電磁石に対して進退自在の弁体を設け、この弁体に連結された可動鉄片を固定電磁石で吸着して弁体を開弁状態に保持する電磁安全弁であって、固定電磁石を挟んで弁体とは反対側に延びる外形が棒状の外部端子を設け、この外部端子に着脱自在に接続されるコネクタを介して固定電磁石に電流を流して固定電磁石を励磁するものにおいて、外部端子の基端部側を保持すると共に、外部端子の先端を、外部端子に曲げ方向の応力が作用しても外部端子が変形しないように保持する保持ケースを設けると共に、この保持ケースに、上記基端部側の保持された部分と先端との間に外部端子の長手方向に対して直角方向にコネクタを着脱する着脱部を設け、コネクタの装着時の応力によって外部端子が変形しないように、着脱部を挟む両側で外部端子を保持ケースに保持させたことを特徴とする。
【０００７】
コネクタを外部端子に対して直角方向から装着するので、コネクタの装着のためのスペースが、外部端子の延長方向に位置することが無くなる。ただし、従来の外部端子は電磁安全弁から突出しており片持ち状態であり、単に外部端子に対して直角方向からコネクタを装着すると、外部端子に曲げ方向の応力が作用して変形し、外部端子に装着されるシール部材との間に隙間が生じるなどの不具合が発生するおそれがある。そこで、外部端子の先端を保持する保持ケースを設け、その保持ケースにコネクタを直角方向に案内する着脱部を設けることにより、装着時の応力によって外部端子が変形等しないようにした。
【０００８】
なお、コネクタ内には弾性変形して外部端子を両側から挟み外部端子に通電する通電用金属片が設けられており、コネクタが完全に上記着脱部に連結される前に係合を開始し、着脱部への係合が完了し完全にコネクタが着脱部に連結された状態でコネクタの連結解除を禁止するロック機構を設けると共に、通電用金属片が外部端子に接触する前にロック機構の係合が開始されるようにした。
【０００９】
すなわち、コネクタの挿入作業時に通電用金属片が外部端子に接触すると、挿入方向に抵抗が生じ、挿入が完了したと錯誤してロック状態になる前にコネクタの挿入を途中で中止するおそれが生じる。本発明ではロック機構の係合開始を通電用金属片と外部端子との接触より先行させることによって、作業者はロック機構の係合完了まで上記の錯誤をすることなくコネクタを挿入する。
【発明の効果】
【００１０】
以上の説明から明らかなように、本発明は、コネクタを外部端子に対して直角方向から装着するので、外部端子の延長方向に多くのスペースを確保しなくてもよく、電磁安全弁回りの設計の自由度が増す。なお、外部端子の先端を保持ケースで保持しているので、コネクタの装着時の応力によって外部端子が変形することはない。
【発明を実施するための最良の形態】
【００１１】
図１を参照して、１は本発明による電磁安全弁である。この電磁安全弁１には固定電磁石２が内蔵されている。この固定電磁石２は固定鉄芯２１とその固定鉄芯２１に装着される励磁コイル２２とから構成されている。この励磁コイル２２に通電されると固定鉄芯２１が励磁される。
【００１２】
固定鉄芯２１の図において下方にはガス通路を閉鎖するための弁体３が配設されている。この弁体はバネ３１により固定電磁石２から離れる方向へ付勢されている。また、弁体３には弁軸３２を介して可動鉄片３３が連結されている。
【００１３】
バネ３１の付勢力に抗して弁体３を押し上げ、可動鉄片３３を固定鉄芯２１に当接させた状態で励磁コイル２２に通電すると、励磁された固定鉄芯２１に可動鉄片３３が吸着されて弁体３は開弁状態で保持される。
【００１４】
励磁コイル２２に巻回されている巻線の一方の端部は金属製のホルダ１１に接続されており、このホルダ１１に当接している同じく金属製の取付フランジ１２から通電される。また、励磁コイル２２の巻線の他方の端部は細い針金状の端子棒２３に接続されている。この端子棒２３はホルダ１１を貫通して上方へ突出している。そして、パイプ状の端子管２４に覆われ、端子管２４の先端２４ａで端子管２４と端子棒２３とが溶接され、端子管２４の内部がシールドされると共に、端子管２４と端子棒２３とが電気的に接続される。これら端子棒２３と端子管２４とで外部端子が構成される。なお、端子管２４にはリング状のシール部材１３が装着され、端子管２４の突出部分の気密性を確保している。
【００１５】
図２を参照して、取付フランジ１２には樹脂製の保持ケース４が固定されている。この保持ケース４には端子管２４の先端２４ａの近傍を保持する保持部４１が形成されている。また、側面にはコネクタ５が挿入される着脱部４２が開口している。コネクタ５内には図３に示すように左右１対の通電用金属片５３が内蔵されている。これら通電用金属片５３の間隔は端子管２４の外径より狭く設定されおり、コネクタ５を着脱部４２に挿入すると通電用金属片５３が左右に広げられ通電用金属片５３と端子管２４とが接続される。なお、両通電用金属片５３にはリード線５１が接続されており、このリード線５１から励磁コイル２２に電流が供給される。
【００１６】
保持ケース４の上面には係合突起４３が設けられており、コネクタ５の係合爪５２がこの係合突起４３に係合することによりコネクタ５の着脱部４２からの抜けを防止している。なお、この係合突起４３と係合爪５２とでロック機構を構成している。
【００１７】
ここで、図３に示すように、コネクタ５を着脱部４２に挿入する際、通電用金属片５３が端子管２４に接触する前の時点で、係合爪５２が係合突起４３に当接して係合を開始するようにした。通電用金属片５３が先行して端子管２４に接触すると挿入方向に抵抗が生じ、コネクタ５が奥まで挿入されたと錯覚するおそれがある。これに対し通電用金属片５３と端子管２４との接触に先行して係合爪５２が係合突起４３に当接すると、作業者に係合爪５２を係合突起４３に係合させてロックする構造が存在していることを意識させることができ、係合爪５２を係合突起４３に係合完了するまでコネクタを挿入させることができる。
【００１８】
なお、本発明は上記した形態に限定されるものではなく、本発明の要旨を逸脱しない範囲内において種々の変更を加えてもかまわない。
【図面の簡単な説明】
【００１９】
【図１】本発明の一実施の形態の構成を示す図
【図２】保持ケースの近傍を示す斜視図
【図３】保持ケースへのコネクタ挿入の途中を示す図
【符号の説明】
【００２０】
１ 電磁安全弁
２ 固定電磁石
３弁体
４保持ケース
５ コネクタ
２２ 励磁コイル
２３ 端子棒
２４ 端子管
３３ 可動鉄片
４１ 保持部
４２ 着脱部
４３ 係合突起
５２ 係合爪
５３ 通電用金属片
【図１】
0004607159.tif 000002
【図２】
0004607159.tif 000003
【図３】
0004607159.tif 000004